(57)【要約】 【課題】  主に外部からの不法行為を防止する容器の二重蓋の構造を提案すること。【解決手段】  被取付け物１の凹所状口部７に取付けられる容器本体１０の二重蓋Ｘの構造であり、該二重蓋Ｘのキャップ状外蓋２８は、容器本体１０に螺着するキャップ状内蓋２１の外蓋用オネジ部２７を基準にして螺合自在に嵌脱し、該外蓋２８は、外蓋用オネジ部２７を越えて内蓋の下端部側の非ネジ部の外壁面２６まで落ち込んだ場合には空転状態になるように周壁部３０の内周面に前記オネジ部２７と螺合するメネジ部３２が形成されていることを特徴とする。【選択図】  図１
2005060996.tif 000002
【特許請求の範囲】
【請求項１】
被取付け物の凹所状口部に取付けられる容器本体の二重蓋の構造であり、該二重蓋Ｘのキャップ状外蓋２８は、容器本体１０に螺着するキャップ状内蓋２１の外蓋用オネジ部２７を基準にして螺合自在に嵌脱し、該外蓋２８は、前記外蓋用オネジ部２７を越えて内蓋の下端部側の非ネジ部の外壁面２６まで落ち込んだ場合には空転状態になるように周壁部３０の内周面に前記オネジ部２７と螺合するメネジ部３２が形成されていることを特徴とする容器の二重蓋Ｘの構造。
【請求項２】
請求項１に於いて、外蓋２８の上壁部２９は、凹所状口部７内に指を入れることができないような若干の間隙を有して納まることを特徴とする二重蓋Ｘの構造。
【請求項３】
請求項１に於いて、容器本体１０は被取付け物１を構成する開閉体５の凹所状口部７に取付けられ、容器本体１０には開閉体をロックするための施錠片５０が設けられていることを特徴とする二重蓋Ｘの構造。
【請求項４】
請求項１又は請求項３に於いて、容器本体１０には、開閉体５を自由に開くのを阻止するために合鍵で作動するシリンダ錠７０が内装されていることを特徴とする二重蓋Ｘの構造。
【請求項５】
被取付け物の凹所状口部に容器本体１０を固定的に取付け、この容器本体に二重蓋Ｘを嵌着し、該二重蓋は、前記容器本体の蓋用オネジ部１２に螺合すると共に上壁部の中央部に内側被係合部２４を有し、かつ、周壁部の下端部側に連設する上端部側にややフランジ状の外蓋用オネジ部２７が形成されているキャップ状内蓋２１と、一方、周壁部の下端部側の内周面に前記内蓋のオネジ部２７に上下方向に螺脱するメネジ部３２を有すると共に上壁部の中央部に前記内側被係合部２４に符合する貫通状の外側被係合部３１を有し、かつ、内蓋２１に螺合自在に嵌脱するキャップ状外蓋２８とから成り、前記外蓋２８は、螺合時、前記メネジ部３２が前記外蓋用オネジ部２７を越えて内蓋の下端部側の非ネジ部の外壁面２６まで落ち込んだ場合には空転状態になることを特徴とする容器の二重蓋Ｘの構造。
【請求項６】
請求項５に於いて、被取付け物１はマンホールであり、一方、容器本体１０はマンホール１の開閉体５の他端部側に固定されていることを特徴とする容器の二重蓋Ｘの構造。
【請求項７】
請求項５又は請求項６に於いて、二重蓋Ｘを容器本体１０から取外す場合には、係合操作具８０を上蓋２８の外側被係合部３１及び内蓋２１の内側被係合部２４に差し込み、二重蓋Ｘを回しながら外すことを特徴とする容器の二重蓋Ｘの構造。
【請求項８】
請求項５に於いて、容器の二重蓋Ｘはマンホール錠の一部を構成し、該マンホール錠は、固定枠に一端部側が枢着されていると共に他端部側から開くことができる開閉体と、この開閉体の他端部側に固定される容器本体と、この容器本体の上端部に螺合する二重蓋Ｘと、前記容器本体の下端部に螺合する底蓋と、容器本体に内装された垂直軸部材に内端部が軸支されていると共に、水平方向に延びる外端部が前記固定枠に係脱する施錠片と、この施錠片の内端部と前記底蓋との間に介在し、施錠片を容器本体に形成した第１被係止部に係合する方向に常時付勢するバネ部材と、施錠片の上方に位置するように容器本体内に二重蓋側から完全に落とし込まれ、かつ、施錠片を係合解除の方向へ回転させるのを防止する障害部材とから成ることを特徴とするマンホール錠。
【発明の詳細な説明】
【技術分野】
【０００１】
本発明は、容器の二重蓋の構造に関し、特に凹所状口部を有する建具の扉、地面や道路に設けられたマンホールの開閉体（蓋体）など被取付け物に固定的に取付けられる容器の二重蓋の構造に関する。
【背景技術】
【０００２】
特許文献１の特開平１０−１２７７９６号公報には、上下開口の箱体と、この箱体の開口部をそれぞれ閉鎖することができるように該箱体に枢支された上蓋と下蓋とから成る建築構造物の避難用ハッチが記載されている。
【０００３】
しかしながら、該ハッチの箱体は、防犯対策用或いは盗難防止用の収納物を入れる容器としての機能を有しないと共に、緊急時に上蓋と下蓋を自由に開けることができる。現在、防犯対策用或いは盗難防止用の収納物を入れる容器の二重蓋の構造の出現が要望されている。
【０００４】
一方、特許文献２の特開平１０−１９６２号公報には、マンホールの開閉体（蓋体）を施錠する施錠装置が提案されている。この施錠装置は、基本的には、マンホールの地面に固定された固定枠と、この固定枠に一端部側が枢着されていると共に他端部側から開くことができる開閉体と、この開閉体の他端部側に固定される垂直固定筒（容器本体）と、この垂直固定筒に内装され、かつ、係合操作具によって押し込まれた状態で回転する第１回転子と、この上位の第１回転子と所要間隔離間して下位に配設された第２回転子との間に介在するバネ部材と、第２回転子の下端部の下方に固着具を介して設けられ、かつ、前記マンホールの固定枠に係脱可能な爪部を有する爪金具とから成る。
【０００５】
しかしながら、上記構成の施錠装置には、垂直固定筒（容器本体）内に回転子の回転を防止する手段が設けられていないから、垂直固定筒の上面に回転可能に軸支された板状蓋板を除け、係合操作具の下端部を垂直固定筒の中心部の挿入用孔に差し込み、第１・第２回転子を回して爪金具を固定枠から簡単に開放することができるという問題点があった。したがって、外部からの不法行為が容易である。
【特許文献１】特開平１０−１９６２号公報
【特許文献２】特開平１０−１９６２号公報
【発明の開示】
【発明が解決しようとする課題】
【０００６】
本発明の第１の目的は、主に外部からの不法行為を防止する容器の二重蓋の構造を提案すること。第２の目的は、二重蓋を一緒に取外すことができること。第３の目的は、凹所状口部を有する被取付け物に容器本体を簡単に取付けることができることである。第４の目的は、容器本体に、例えば開閉体をロックするためのロック手段の施錠片５０や合鍵で作動するシリンダ錠を内装することができること。
【課題を解決するための手段】
【０００７】
本発明の容器の二重蓋Ｘの構造は、被取付け物１の凹所状口部７に取付けられる容器本体１０の二重蓋Ｘの構造であり、該二重蓋Ｘのキャップ状外蓋２８は、容器本体１０に螺着するキャップ状内蓋２１の外蓋用オネジ部２７を基準にして螺合自在に嵌脱し、該外蓋２８は、前記外蓋用オネジ部２７を越えて内蓋の下端部側の非ネジ部の外壁面２６まで落ち込んだ場合には空転状態になるように周壁部３０の内周面に前記オネジ部２７と螺合するメネジ部３２が形成されていることを特徴とする。
【０００８】
上記構成に於いて、外蓋２８の上壁部２９は、凹所状口部７内に略納まることを特徴とする。また、被取付け物１は開閉体であり、容器本体１０は該開閉体の凹所状口部７に取付けられ、また容器本体１０には、開閉体をロックするための施錠片５０が設けられていることを特徴とする。さらに、容器本体１０には、開閉体を自由に開くのを阻止するために合鍵で作動するシリンダ錠が内装されていることを特徴とする。
【０００９】
また、本発明の容器の二重蓋Ｘの構造は、被取付け物１の凹所状口部７に容器本体１０を固定的に取付け、この容器本体１０に二重蓋Ｘを嵌着し、該二重蓋Ｘは、前記容器本体１０の蓋用オネジ部１２に螺合すると共に上壁部の中央部に内側被係合部２４を有し、かつ、周壁部の下端部側に連設する上端部側にややフランジ状の外蓋用オネジ部２７が形成されているキャップ状内蓋２１と、一方、周壁部の下端部側の内周面に前記内蓋のオネジ部２７に上下方向に螺脱するメネジ部３２を有すると共に上壁部の中央部に前記内側被係合部２４に符合する貫通状の外側被係合部３１を有し、かつ、内蓋２１に螺合自在に嵌脱するキャップ状外蓋２８とから成り、前記外蓋２８は、螺合時、前記メネジ部３２が前記外蓋用オネジ部２７を越えて内蓋の下端部側の非ネジ部の外壁面２６まで落ち込んだ場合には空転状態になることを特徴とする。
【００１０】
上記構成に於いて、被取付け物１はマンホールであり、一方、容器本体１０はマンホールの開閉体の他端部側に固定されていることを特徴とする。また、二重蓋Ｘを容器本体１０から取外す場合には、係合操作具８０を上蓋２８の外側被係合部３１及び内蓋２１の内側被係合部２４に差し込み、二重蓋Ｘを回しながら外すことを特徴とする。
【００１１】
さらに、容器の二重蓋Ｘはマンホール錠の一部を構成し、該マンホール錠は、固定枠に一端部側が枢着されていると共に他端部側から開くことができる開閉体と、この開閉体の他端部側に固定される容器本体と、この容器本体の上端部に螺合する二重蓋Ｘと、前記容器本体の下端部に螺合する底蓋と、容器本体に内装された垂直軸部材に内端部が軸支されていると共に、水平方向に延びる外端部が前記固定枠に係脱する施錠片と、この施錠片の内端部と前記底蓋との間に介在し、施錠片を容器本体に形成した第１被係止部に係合する方向に常時付勢するバネ部材と、施錠片の上方に位置するように容器本体内に二重蓋側から完全に落とし込まれ、かつ、施錠片を係合解除の方向へ回転させるのを防止する障害部材とから成ることを特徴とする。
【発明の効果】
【００１２】
（１）請求項１及び請求項５に記載の発明は、容器本体が、例えば防犯対策用、盗難防止用、悪戯防止対策用等の収納物を入れる機能を有すると共に、内蓋を取り外そうとしても、外蓋が空回りするので、二重蓋を容器本体から簡単に取り外すことができない。したがって、主に外部からの不法行為を防止することができる。
【００１３】
（２）各従属項に於いて、二重蓋を一緒に取外すことができる、凹所状口部を有する被取付け物に容器本体を簡単に取付けることができる、開閉体をロックするためのロック手段の施錠片５０や合鍵で作動するシリンダ錠を内装することができる等の効果がある。
【発明を実施するための最良の形態】
【００１４】
以下、図１乃至図５に示す本発明を実施するための最良の形態により、本発明（容器の二重蓋の構造）を詳細に説明する。なお、本発明の実施例の説明に於いて、説明の便宜上、図６乃至図１５に示す利用発明（マンホール錠）と機能上同一又は同様の部分（例えば底蓋、開口部など）は、利用発明の説明に用いた符号をそのまま援用する。
【００１５】
本発明の容器の二重蓋の構造Ｘは、例えば凹所状口部を有する建具の扉、地面や道路に設けられかつ凹所状口部を有するマンホールの開閉体（蓋体）５などを有する被取付け物１に取付けられる。
【００１６】
被取付け物１は、開閉扉、開閉体を有するマンホール等であることが望ましいが、これに限定するものではない。また、被取付け物１は二重蓋を簡単に取外すことができないような凹所状口部７を有することが必要である。容器本体１０は、粉状体、流動体、固定、施錠装置などの収納物を収納可能である。
【００１７】
二重蓋Ｘは、開閉体の有無を問わず被取付け物１に螺合する下端開口のキャップ状内蓋２１と、この内蓋２１に取外し可能に螺合ないし空転装着されるキャップ状外蓋２８とから成る。
【００１８】
主に図３を参照にして、まず内蓋２１を説明する。２２は円盤状の上壁部、２３は上壁部に連設する周壁部である。しかして、前記上壁部２２の中央部には、係合操作具８０が係合する非貫通状の内側被係合部２４が形成されている。内側被係合部２４は凹所状に形成され、内壁底面２４ａを有している。また、凹所状の中央内周面には、前記係合操作具８０の突起状係合部８１が係合する係止溝２４ｂ．２４ｂが連通状態に単数又は複数個（本実施例では２個）形成されている。
【００１９】
一方、前記周壁部２３の下端部側の内周面には、容器本体１０の蓋用オネジ部１２に螺合するメネジ部２５が形成されている。また周壁部２３の下端部側の外壁面はネジ部を有しない外周面２６となっている反面、下端部側に連設する上端部側にややフランジ状に形成された外壁面に外蓋用オネジ部２７が形成されている。この外蓋用オネジ部２７は周壁部２３の上下方向の中央部に形成しても良いが、本実施例では上壁部２２の周りも含む周壁部２３の上端部側に若干突出形成されている。
【００２０】
次に外蓋２８について説明する。２９は円盤状の上壁部、３０は上壁部に連設する周壁部である。しかして、前記上壁部２９の中央部には、前述した係合操作具８０が係合する貫通状の外側被係合部３１が形成されている。外側被係合部３１は貫通状に形成されているから、内蓋のように内壁底面を有しない。また、外側被係合部３１の中央内周面には、係合操作具８０の突起状係合部８１が係合する係止溝３１ａ．３１ａが連通状態に単数又は複数個（本実施例では２個）形成されている。係止溝３１ａ．３１ａは、外蓋２８を周方向に回すことにより内蓋２１の前述した係止溝２４ｂ．２４ｂに連通可能である。
【００２１】
一方、周壁部３０の下端部側の内周面には、内蓋２１の外蓋用オネジ部２７に上下方向に螺脱するメネジ部３２が形成されている。メネジ部３１は周壁部３０の上部側の内周面３３よりも若干内方向に突設形成されている。
【００２２】
しかして、外蓋２８は、内蓋２１に螺合する方向に回した螺合時に於いて、さらに、外蓋２８を回して該外蓋のメネジ部３２が内蓋２１の外蓋用オネジ部２７を越えて内蓋２１の下端部側のネジ部を有しない外壁面２６まで落ち込んだ場合には空転状態になる。
【００２３】
すなわち、図４で示すように、まず、二重蓋Ｘの内蓋２１を容器本体１０の蓋用オネジ部１２に螺合する。次に、外蓋２８を内蓋２１に被せるようにして嵌め合わせ、矢印方向（螺合方向）に回す。外蓋２８を回し続けると、外蓋２８のメネジ部３２は内蓋２１の外蓋用オネジ部２７に螺合していることから、螺合関係が存在する限り外蓋２８の回転量に対応して下方方向へ移動する（図４の中間の図）。
【００２４】
そして、さらに、外蓋２８を回し続けると、前記メネジ部３２が前記外蓋用オネジ部２７を越えて内蓋の下端部側の非ネジ部の外壁面２６まで落ち込む。外蓋２８のメネジ部３２が内蓋２１の外蓋用オネジ部２７から螺脱すると、外蓋２８は空転状態になる。
【００２５】
次に、図５は二重蓋Ｘを容器本体１０から取外した状態を示す。本実施例では、二重蓋Ｘは被取付け物１の口部７内に、その上蓋２８の上壁部２９の上壁面が、少なくとも略同一平面上に位置するように納まっている。また、外蓋２８のメネジ部３２が内蓋２１の外蓋用オネジ部２７を越えて内蓋の非ネジ部の外壁面２６まで落ち込んでいるので、自由に内蓋２１を回転させることができない。
【００２６】
そこで、二重蓋Ｘを容器本体１０から取外す場合には、係合操作具８０を利用する。前述したように外蓋２８の外側被係合部３１及び内蓋２１の内側被係合部２４は連通可能なので、外蓋２８を適宜に回して両方の係止溝２４ｂ．３１ａを一致させたる。その後に係合操作具８０を上蓋２８の外側被係合部３１及び内蓋２１の内側被係合部２４に差し込み、図４の矢印と逆の方向へ二重蓋Ｘを回す。内蓋２１が容器本体１０から外れると、外蓋２８は内蓋２１に空転状態に被さっているから、内蓋２１と共に容器本体１０から外れる。
【００２７】
次に、図６乃至図１５を参照にして本発明（容器の二重蓋の構造Ｘ）をそのまま利用した利用発明（マンホール錠Ｙ）について説明する。以下、マンホール錠Ｙの構成を分節して説明する。
【００２８】
（１）被取付け物…マンホール１
被取付け物の一例としてのマンホール１は、地面２にその環状の表面が略同一平面状に固定された環状固定枠３と、該固定枠３に一端部側が蝶番部材４を介して枢着されていると共に、他端部側から開くことができる開閉体５とから構成されている。マンホール１の細部については割愛するが、前記環状固定枠３の適宜部位（例えば断面Ｌ型状の内壁面）には突起状の枠側係合部６が形成されている。また、本実施例のマンホール１の開閉体５の他端部側（開閉端部側）には、マンホール錠Ｙ装着用の凹所状口部７が設けられ、該凹所状口部７の内壁底部に貫通孔８が形成されている。なお、９はマンホール１の下部フレームである。
【００２９】
（２）マンホール錠Ｙ
マンホール錠Ｙは、開閉体５の他端部側に固定される容器本体１０と、この容器本体１０の蓋用オネジ部１２と螺脱する二重蓋Ｘと、一方、容器本体１０の下端部に螺合する底蓋３５と、容器本体１０に内装された垂直軸部材４１に内端部が軸支されていると共に、水平方向に延びる外端部が被取付け物１の固定枠３に係脱する施錠片５０と、この施錠片５０の前記内端部と前記底蓋３５との間に介在し、施錠片５０の中間部を容器本体１０に形成した第１被係止部１６に係合する方向に常時付勢するバネ部材６０と、施錠片５０の上方に位置するように容器本体１０内に上蓋側から完全に落とし込まれた障害部材７０とから成る。
【００３０】
（３）容器本体１０
容器本体１０は、開閉体５の凹所状口部７及び貫通孔８を介して該開閉体５の他端部側に装着されると、その下端面は略マンホール１の下部フレーム９の下面ラインに達する。容器本体１０の大きさは特に限定するものではないが、片手で握ることができる程度である。一方、その上端面は凹所状口部７内の略中間に位置する。容器本体１０の上端面は、望ましくは凹所状口部７から突出しないようにすべきである。
【００３１】
１１は容器本体１０の上端部に周設された取付け用フランジ部で、このフランジ部１１は凹所状口部７の内壁面に支持される。容器本体１０のフランジ部１１が凹所状口部７の内壁面に支持されると、容器本体１０の７割或いは８割程度が開閉体５の内壁面から下方に突出する。
【００３２】
しかして、取付け用フランジ部１１を基準にして容器本体１０の上部側の外周壁には、二重蓋用の第１螺合部（オネジ部）１２が形成されている。一方、容器本体１０の下部側の外周壁には、締付けナット１３用の第２螺合部１４が形成されている。したがって、容器本体１０は取付け用フランジ部１１と締付けナット１３によって挟圧された状態で開閉体５の凹所状口部７に固定的に装着される。
【００３３】
１５は容器本体１０の下端部に形成された第３螺合部で、この第３螺合部には底蓋３５が螺合する。
【００３４】
（４）垂直固定筒の被係止部１６．１７
容器本体１０には複数個の被係止部が形成されている。一つは施錠片５０の中間部が係脱する第１被係止部１６で、他の一つは障害部材７０のロック板７２が係脱する第２被係止部１７である。
【００３５】
すなわち、１８は容器本体１０の下端部側の適宜部位に形成された矩形状の縦長開口部で、本実施例ではこの縦長開口部１８の上部側切欠端面が施錠片５０用第１被係止部１６に相当する。この開口部１８には、容器本体１０の周壁方向に沿って施錠片５０逃がし用の水平案内切欠部１９が連通状態に形成されている。
【００３６】
水平案内切欠部１９は、本実施例では施錠片５０を引っ繰り返して使用する場合もあり得ることを考慮して、例えば開口部１８の中央部に横Ｔ字状に交差するように形成されているが、必ずしも中央部に横Ｔ字状に交差するように形成する必要はない。水平案内切欠部１９を開口部１８の下部側にＬ字状に交差するように形成しても良い。
【００３７】
要は開口部１８と水平案内切欠部１９との連通は、施錠片５０が上昇位置にある施錠時には開口部１８の切欠端面に係止され、一方、後述する係合操作具８０で施錠片５０がバネ部材６０のバネ力に抗して下降した解錠時には開口部１８の切欠端面から開放される関係にあれば良い。
【００３８】
他の第２被係止部１７は、容器本体１０の第２螺合部１４側の内部に形成されている。すなわち、容器本体１０は両端開口の中空円柱であるが、第２螺合部１４を基準にしてその上部側は断面トラック形状（陸上競技場のグランド形状）の嵌合孔であるのに対し、下部側はその下端面に至るまで断面真円形状の嵌合孔である。
【００３９】
したがって、この断面真円形状と前記断面トラック形状の境である容器本体１０の内壁水平面１７が、前述したロック板用の第２被係止部１７に相当する。２０は容器本体１０の上端面に周設された環状溝に嵌め込まれたＯリングである。このＯリングが存在するので、容器本体１０に水が入らない。
【００４０】
（５）二重蓋Ｘの構造
二重蓋Ｘの構造は、前述した通りである。本実施例は利用発明であるから、容器本体１０の第１螺合部１２に内蓋２１のメネジ部２５が螺合する。二重蓋Ｘの外側被係合部３１と内側被係合部２４の形状を設計変更しているが、外側被係合部３１と内側被係合部２４を形成すること自体及びこれらの形状の変更は、本発明の本質的部分ではない。
【００４１】
二重蓋Ｘは、開閉体５の嵌合凹所７内に納まり、外蓋２８の上面は、望ましくは開閉体５の上面から突出しない。本実施例では、外蓋２８の外壁面は開閉体５に対して少なくとも同一平面上に位置する。
【００４２】
（６）底蓋３５
底蓋３５は容器本体１０の下端部の第３螺合部１５に螺合する。底蓋３５は容器本体１０の下端開口を閉鎖し、かつ、中心部に貫通孔３７を有するフランジ状の閉鎖板３６と、この閉鎖板３６の内壁面に突出形成された外側環状壁３８と、この外側環状壁３８にバネ部材６０の下端部が嵌合できるようにバネ用嵌合溝４０を形成する内側環状壁３９とから成る。
【００４３】
（７）施錠片５０
施錠片５０は、容器本体１０に内装された垂直軸部材４１に内端部５１が軸支されていると共に、内端部５１に連設する中間部５２に水平方向に連設する外端部５３が固定枠３の枠側係合部６に係脱する。
【００４４】
施錠片５０は、垂直軸部材４１が垂直であるのに対して容器本体１０又は垂直軸部材４１に直交してその中間部５２と外端部５３が容器本体１０から水平状態に突出する。
しかして、ボス部に相当する内端部５１には角軸孔５４が形成されている。また、中間部５２は杆状に延び、上下の厚さ寸法は、前述した容器本体１０の水平案内切欠部１９の上下の開口寸法よりも若干小さい。
【００４５】
したがって、中間部５２は水平案内切欠部１９内を自由に水平移行することができる。外端部５３の一側面５３ａは中間部５２の一側面に対して段差状に形成されている。これは固定枠３の枠側係合部６の上下位置に対応して施錠片５０を裏返して使用する場合もあり得ることを考慮したためである。なお、利用発明の実施例では、内端部５１の上下の壁面にバネ部材６０の上端部６２が入り込むバネ用嵌合溝５５が形成されている。
【００４６】
（８）垂直軸部材４１
垂直軸部材４１は容器本体１０の下部側の断面真円形状の嵌合孔に内装されている。しかして、４２は係合操作具８０が係合可能な軸側係合凹所、４３は施錠片５０の角軸孔５４に嵌合する角軸部、４４は角軸部に連設して底蓋３５の貫通孔３７に嵌合する円柱軸部、４５は垂直軸部材４１の軸側係合凹所４２の内壁底面から円柱軸部４４の下端面までストレートに形成された長い貫通孔である。
【００４７】
前記長い貫通孔４５、底蓋３５の貫通孔３７等は、何か問題が起きた場合に（例えば障害部材７０のロック板のロックを解除したい場合）に、図示しない操作棒を挿入するためのものである。底蓋３５を外さないで、又は底蓋３５を外して垂直軸部材４１の長い貫通孔４５に操作棒を挿入して障害部材７０のロック板をロック解除の方向へ動かすことが可能である。
【００４８】
（９）バネ部材６０
バネ部材６０は、施錠片５０の内端部５１と底蓋３５との間に介在し、施錠片５０の中間部５２を容器本体１０に形成した第１被係止部１６に係合する方向に常時付勢する。バネ部材６０の下端部６１は、底蓋３５のバネ用嵌合溝４０に嵌合し、一方、その一端部６２は施錠片５０のバネ用嵌合溝５５に嵌合する。
【００４９】
（１０）障害部材７０
障害部材７０は、容器本体１０の第２被係止部１７と係脱可能なロック板７２を有し、施錠片５０の上方に位置するように容器本体１０内に上蓋側から完全に落とし込まれる。
【００５０】
しかして、利用発明の実施例では一般的なシリンダ錠７０が採用されている。このシリンダ錠７０はピンタンブラーを内蔵し、かつ、合鍵７５の操作で駆動する駆動軸７１を有する。そして、駆動軸７１の突出端部には容器本体１０の第２被係止部１７と係脱可能なトラック形状のロック板７２が固着具７３を介して固定されている。なお、シリンダ錠７０はピンタンブラー以外に、ロータリーディスクタンブラーでも良い。
【００５１】
（１１）開閉体を開ける場合
本実施例では、障害部材７０が容器本体１０内に設けられているので、開閉体５を簡単に開けることができない。すなわち、開閉体５を開ける場合には、まず二重蓋Ｘを容器本体１０から取外す必要がある。二重蓋Ｘを容器本体１０から取外す場合については前述した通りである（図５）。
【００５２】
次に二重蓋Ｘを容器本体１０から取外した場合には、障害部材７０を容器本体１０から取り外さない限り、マンホール１の開閉体５を開くことができない。そこで、合鍵７５を障害部材（シリンダ錠）に差込み、解錠方向へ回転する。合鍵７５を操作すると、図６（裏側から見ている）で示すように障害部材７０の駆動軸７１及びロック板７２は係合解除の矢印Ａ方向（反時計方向）に略９０度回転する。そうすると、ロック板７２は第２被係止部１７から開放される。そこで、障害部材７０を容器本体１０から取り外す。
【００５３】
次に、障害部材７０を容器本体１０から取り外しても、施錠片５０を固定枠３から開放しない限り開閉体５を開けることができない。そこで、図１３で示すように係合操作具８０を容器本体１０に入れ、かつ、その下端部を垂直軸部材４１の軸側係合凹所４２に係合させる。この場合には、係合操作具８０を押し込んだ状態で、かつ、容器本体１０の周方向に所定量回す必要がある。係合操作具８０を押し込むと、施錠片５０はバネ部材６０のバネ力に抗して下降するので、施錠片５０の係合部としての中間部５２は容器本体１０の第１被係止部１６から離れる（図１４．図１５参照）。
【００５４】
その結果、施錠片５０は逃し用水平案内部１９を介して係合解除の方向へと回転可能になるので、施錠片５０を回転して係合状態を解除し、その後開閉体５を開ける。
【実施例】
【００５５】
二重蓋Ｘの外蓋２８の上壁部２９は、被取付け物の凹所状口部７内に略納まっているが、指で内蓋を回すことができないこと条件として凹所状口部７から突出しても良い。また、二重蓋Ｘの外蓋２８の周壁部３０の外周面と被取付け物の凹所状口部７の内周面には若干の間隙が設定されているが、該間隙には人の指が入り込まないことが必要である。
【産業上の利用可能性】
【００５６】
本発明は、容器本体が防犯対策用、盗難防止用、悪戯防止対策用等の収納物を入れる技術分野に幅広く利用される。すなわち、容器本体には、医薬品、薬品、食品、貴重品、錠前などを収納可能であるから、容器を製造するメーカーが技術分野である。
【００５７】
また、利用発明は、主に道路に設置されたマンホールの業界で利用される。したがって、建設・土木・錠前の技術分野で利用される。
【図面の簡単な説明】
【００５８】
図１乃至図５は本発明の最良の実施例を示す各説明図。図６乃至図１５は本発明を利用した利用発明の一例を示す各説明図。
【図１】本発明の使用環境の一例を示す全体の概略説明図。
【図２】本発明の斜視からの説明図。
【図３】一部を切欠した主要部の説明図。
【図４】螺合ないし空転状態の説明図。
【図５】二重蓋を取り外す場合の一例を示す説明図。
【図６】本発明を利用した利用発明を示す説明図。
【図７】図６に於いて、主要部を拡大した概略説明図。
【図８】利用発明の主要部の斜視図。
【図９】利用発明の主要部の分解説明図。
【図１０】二重蓋を取外し、合鍵を障害部材に差し込んだ説明図。
【図１１】図１０に於いて、合鍵を解錠方向へ回した時の説明図。
【図１２】障害部材を垂直固定筒から取り外した説明図。
【図１３】係合操作具を容器本体に入れた状態の説明図。
【図１４】係合操作具を押し込んだ状態で容器本体の周方向に所定量回す説明図。
【図１５】図１４に於いて、容器本体の裏側から見たロック板の係合解除の概略説明図。
【符号の説明】
【００５９】
Ｘ…二重蓋、Ｙ…マンホール錠、1…被取付け物（例えばマンホール）、３…固定枠、５…開閉体（例えばマンホールの蓋）、６…枠側係合部、７…凹所状口部、１０…容器本体、１２…蓋用オネジ部（第１螺合部）、１３…締付けナット、１４…第２螺合部、１５…第３螺合部、１６…第１被係止部、１７…第２被係止部、１８…開口部、１９…水平案内切欠部、２０…Ｏリング、２１…内蓋、２２…内蓋の上壁部、２３…内蓋の周壁部、２４…内側被係合部、２５…メネジ部、２６…非ネジ部の外壁面、２７…内蓋のオネジ部、２８…外蓋、２９…、３０…、３１…、３２…外蓋のメネジ部、３３…外蓋の内周面、３５…底蓋、３６…閉鎖板、３７…貫通孔、３８…外側環状壁、３９…内側環状壁、４０．５５…バネ用嵌合溝、４１…垂直軸部材、４２…軸側係合凹所、４３…角軸部、４４…円柱軸部、４５…長い貫通孔、５０…施錠片、５１…内端部、５２…中間部、５３…外端部、５４…角軸孔、６０…バネ部材、７０…障害部材、７１…駆動軸、７２…ロック板、７５…合鍵、８０…係合操作具。
【図１】
2005060996.tif 000003
【図２】
2005060996.tif 000004
【図３】
2005060996.tif 000005
【図４】
2005060996.tif 000006
【図５】
2005060996.tif 000007
【図６】
2005060996.tif 000008
【図７】
2005060996.tif 000009
【図８】
2005060996.tif 000010
【図９】
2005060996.tif 000011
【図１０】
2005060996.tif 000012
【図１１】
2005060996.tif 000013
【図１２】
2005060996.tif 000014
【図１３】
2005060996.tif 000015
【図１４】
2005060996.tif 000016
【図１５】
2005060996.tif 000017